(57)【要約】【課題】遊技機への不正行為を確実且つ速やかに発見することができる遊技機に対する電波又は磁石を用いた不正行為検知センサーを提供する。【解決手段】パチンコ機１の二層保護ガラス体４の間に面状型の磁気センサー部７を挿入する。磁気センサー部７は、透明なガラス板又はアクリル板９に、導電性フィルムシート８を貼付し、導電性フィルムシート８の対向する二辺に沿って一対の銅箔テープ１１及び１２を取り付けると共に、その間を導電性フィルムシート８と樹脂テープ１０ａで絶縁された銅箔テープ１０でもって接続して構成され、銅箔テープ１１及び１２間に生ずる誘導電流を検出する検出回路２０と、当該検出値に基づいて不正な磁気を判定して出力する判定出力回路２２を備えてなる不正磁気検知回路１９に接続される。不正磁気検知回路１９には警報器としてＬＥＤ表示灯２４を遊技機の盤面の近傍又は前記ガラス板上又はアクリル板９上に設ける。【選択図】　図９
2004081232.tif 000002
【特許請求の範囲】
【請求項１】
遊技機の盤面を覆う透明なガラス板又はアクリル板に、透明合成樹脂製の導電性フィルムシートを貼付し、該導電性フィルムシートの対向する二辺に沿って一対の銅箔テープを取り付けると共に、該一対の銅箔間を前記導電性フィルムシートと絶縁状態にされた銅箔テープ若しくはＦＦＣコードでもって接続し、該一対の銅箔テープ間に生ずる誘導電流を検出する検出回路部と、当該検出値に基づいて不正な磁気を判定して出力する判定出力回路部を備えてなる不正磁気検知回路を接続すると共に、該不正磁気検知回路に、不正な磁気を検知したとき警報を発生させる警報器を接続してなる遊技機に対する電波又は磁石を用いた不正行為検知センサーにおいて、前記警報器をＬＥＤ表示灯とし、このＬＥＤ表示灯を遊技機の盤面の近傍又は前記ガラス板上又はアクリル板上に設けたことを特徴とする遊技機に対する電波又は磁石を用いた不正行為検知センサー。
【請求項２】
ＬＥＤ表示灯が、フレキシブルフィルム基板上に取付けられると共に、このフレキシブルフィルム基板をガラス板又はアクリル板に貼着して設けられていることを特徴とする請求項１記載の遊技機に対する電波又は磁石を用いた不正行為検知センサー。
【請求項３】
フレキシブルフィルム基板がガラス板又はアクリル板の角隅面取部に設けられていることを特徴とする請求項２記載の遊技機に対する電波又は磁石を用いた不正行為検知センサー。
【請求項４】
通常は点灯し続け、不正行為の検知により消灯するＬＥＤ表示灯を設けたことを特徴とする請求項１乃至請求項３のいずれかに記載の遊技機に対する電波又は磁石を用いた不正行為検知センサー。
【発明の詳細な説明】
【０００１】
【発明の属する技術分野】
本発明は、パチンコ機やパチスロ機等の遊戯機に対して電波や磁石を用いた不正行為を検知する遊技機の不正遊技検知センサーに関するものである。
【０００２】
【従来の技術】
近年、パチンコ機等の遊戯機に対して電波や磁石を用いて出玉を搾取する不正行為により、同業界全体における被害額は年間数百億円に上るとも言われている。このような不正行為を検知する従来の装置としては、不正電波を専用に検知する受信回路型の検知装置と、不正磁力を専用に検知する磁石センサーやリードスイッチ型の検知装置とが別々に開発され実用化されている。
【０００３】
【発明が解決しようとする課題】
しかしながら、電波対応型の検知装置は、電波を用いた不正行為のみを検知するので、磁石を用いた不正行為を検知できない。また、磁石対応型の検知装置は、磁石を用いた不正行為のみを検知するので、電波を用いた不正行為を検知できない。このため、不正電波と不正磁力の双方を検知するには、電波対応型の検知装置と磁石対応型の検知装置との双方を設置する必要があり、設置スペースが増しコストが嵩む。また、電波受信回路型の検知装置は、携帯電話等から送信される電波も傍受して反応してしまうため、不正に送信された電波と判別をすることができず、誤検出が起こるという問題があった。
【０００４】
そこで、本発明者は、先に特願２００１−０９１３１９号並びに特願２００２−００２８６７号をもって、この種の検知センサーを提案している。これら発明は、遊技機の盤面を覆う透明なガラス板又はアクリル板に、透明合成樹脂製の導電性フィルムシートを貼付し、該導電性フィルムシートの対向する二辺に沿って一対の銅箔テープを取り付けると共に、該一対の銅箔間を前記導電性フィルムシートと絶縁状態にされた銅箔テープ若しくはＦＦＣコードでもって接続し、該一対の銅箔テープ間に生ずる誘導電流を検出する検出回路部と、当該検出値に基づいて不正な磁気を判定して出力する判定出力回路部を備えてなる不正磁気検知回路を設けたことを主な特徴とし、電波と磁石を使用した双方の不正行為に対して一台で対応でき、不法に送信された電波のみを正確に判別検知することができるようにされている。本発明は上記発明の検知センサーに更なる改良を加えたものであり、その目的は、遊技機への不正行為を確実且つ速やかに発見することができる遊技機に対する電波又は磁石を用いた不正行為検知センサーを提供することにある。
【０００５】
【課題を解決するための手段】
このため本発明の遊技機に対する電波又は磁石を用いた不正行為検知センサーは、遊技機の盤面を覆う透明なガラス板又はアクリル板に、透明合成樹脂製の導電性フィルムシートを貼付し、該導電性フィルムシートの対向する二辺に沿って一対の銅箔テープを取り付けると共に、該一対の銅箔間を前記導電性フィルムシートと絶縁状態にされた銅箔テープ若しくはＦＦＣコードでもって接続し、該一対の銅箔テープ間に生ずる誘導電流を検出する検出回路部と、当該検出値に基づいて不正な磁気を判定して出力する判定出力回路部を備えてなる不正磁気検知回路を接続すると共に、該不正磁気検知回路に、不正な磁気を検知したとき警報を発生させる警報器を接続してなる遊技機に対する電波又は磁石を用いた不正行為検知センサーにおいて、前記警報器をＬＥＤ表示灯とし、このＬＥＤ表示灯を遊技機の盤面の近傍又は前記ガラス板上又はアクリル板上に設けたことを第１の特徴とする。また、ＬＥＤ表示灯がフレキシブルフィルム基板上に取付けられると共に、このフレキシブルフィルム基板をガラス板又はアクリル板に貼着して設けられていることを第２の特徴とする。さらに、フレキシブルフィルム基板がガラス板又はアクリル板の角隅面取部に貼着して設けられていることを第３の特徴とする。
【０００６】
本発明では、パチンコ機やスロットマシン等の遊技機の盤面に、磁気センサー用の導電性フィルムシートを貼り付ける。磁気発生器具には強力な磁石や電波発生器（電磁波送信機）が含まれる。導電性シルムシートの一端、他端にはプラスの電極としての銅箔テープ、マイナスの電極としての銅箔テープを接続し、両銅箔間を前記導電性フィルムシートと絶縁状態にされた銅箔テープ若しくはＦＦＣコードで接続すると共に、誘導電流（誘導起電力）の大きさを測定するための不正磁気検知回路を形成する。ＦＦＣコードとは、金属箔に導電性粘着剤を塗布した極めて薄い（７５ミクロン〜８５ミクロン）テープ状の絶縁コードで、電磁波に対するシルド効果を有するものである。この不正磁気検知回路は、磁気発生器具からの発生磁気に起因する誘導電流を検知し、この検知結果に基づいて磁気発生器具が不正な手段であるか否かを検出判定するためである。そして、不正磁気検知回路にはＬＥＤ警報灯を接続し、前記検知回路で不正な磁気発生器具であると判別された時は、警報灯を即時点灯させる。
【０００７】
導電性フィルムシートを透明ガラス板又は透明アクリル板等の絶縁体に貼着した後、さらに、その表面に保護シートとしてのＰＥＴフィルムを貼付すると良い。これにより、大気中の埃、塵及び水分が導電性フィルムシートに付着することを防止することができる。
【０００８】
本発明の検出原理について説明する。先ず、不正な磁気発生手段となる磁石を検出する場合、遊技機の前部正面に磁石を近づけると、発電機と同様の原理によって、磁石から出る磁力線の影響で遊技機側の導電性フィルムシートに起電力が生じる。そのため、導電性フィルムシート両端の一対の電極（銅箔）間に一方向の微電流が流れる。この場合、逆に導電性フィルムシートから磁石を遠ざけると、電極（銅箔）間に上記と反対方向の微電流が生ずる。そして、微電流の強さは磁力が大きくなればなるほど大きくなる。発生した微電流の大きさを不正磁気検知回路で測定することで、遊技機に磁石が近づけられたことが検出され、不正な遊技行為を容易に判別することができる。
【０００９】
他方、不正な磁気発生手段がアンテナ付き電波発生器（電磁波送信機）であるときは、電波発生器のアンテナから遊技機の前部正面に、ＶＨＦ帯からマイクロ波帯までの電磁波が送信される。すると、電磁波による誘導電磁界の変化の影響で遊技機側の導電性フィルムシートに起電力が生じる。そのため、導電性フィルムシートの両電極（銅箔）間に微電流が流れる。この微電流の強さは、電磁波が強いほど大きくなる。流れた微電流を不正磁気検知回路で感知することで、遊技機に電磁波が送信されたことが検出される。この場合、電磁波の送信元が不正な器具であるか否か判別する必要があるが、微電流の出力値の大小を測定することで、送信元が不正な電波発生器であるか、あるいは適法な携帯電話、店内トランシーバー、ワイヤレスマイク等であるかを容易に判別することができる。すなわち、本装置では、不正な電波発生器からの送信電磁波のみを確実に検知することができる。
【００１０】
このように本発明では、遊技機の盤面側の所定距離以内に、不正な電波発生器または磁石が近づけられた場合は、導電性フィルムシートに起電力が発生して電流が流れ、この電流値は不正磁気検知回路により測定される。そして、電流の測定値が所定の範囲内にあれば、不正な磁気発生器具を用いて不正行為が行われたと判定される。不正行為が判別されたときは、警報器であるＬＥＤ表示灯の点灯により警報が直ちに発せられる。
【００１１】
したがって、本発明の不正行為検知センサーを用いれば、一台で不正な電波発生器の使用あるいは磁石の使用の双方を検知することができ、以って、取付けスペースの縮小化が可能になると共に、大幅なコストダウンを図ることができる。また、不正な電波を検出する場合は、電流測定値の大きさにより、携帯電話から生じた適法な電波との判別を正確に行うことができるので、適法な通信機器を「不正な磁気発生器具」として誤って検出判定するおそれがない。
【００１２】
【発明の実施の形態】
次に、本発明の実施の形態について図面に示す実施例に基いて説明する。この実施例は、パチンコ機の盤面（正面側）に、透明合成樹脂製の導電性フィルムシートを貼り付け、このフィルムシートの両端に接続した一対の電極（銅箔テープ）の間をＦＦＣコードでもって接続すると共に、不正磁気検知回路を形成し、磁気の変化で生ずる起電力の大きさを測定するようにしたものである。さらに、フレキシブル基板上にこの回路と警報用のＬＥＤ表示灯を取付け、不正磁気を検知した時は、ＬＥＤ表示灯を発光させて不正遊技者を直ちに特定できるようにしたものである。
【００１３】
【実施例】
図１は本発明に係る遊技機に対する電波又は磁石を用いた不正行為検知センサーの回路構成図、図２は遊技機の盤面側を示す斜視図、図３乃至図７は磁気センサー部の製造工程を示す説明図、図８はガラス板又は透明アクリル板へのフレキシブル基板取付後の背面図、図９はフレキシブル基板の要部拡大正面図である。
【００１４】
図２に示すように、１はパチンコ機、２はその正面前部を構成するセル盤で、セル盤２の前面側には、ガラス部３が開閉可能に取り付けられている。ガラス部３の裏側には二層保護ガラス体４が取り付けられ、二層保護ガラス体４は前面ガラス部５と裏面ガラス部６からなっている。前面ガラス部５と裏面ガラス部６の間には約９ｍｍの隙間が形成され、この隙間には、約８ｍｍ厚の面状型の磁気センサー部７が挿入されている。この磁気センサー部７は、磁石等の使用による不正な磁気の発生を検知するものである。すなわち、遊技者が電波発生器又は強力磁石をパチンコ機１に近づけたとき、磁気センサー部７に微電流が流れるようになっている。
【００１５】
ここで、磁気センサー部７を、その製造工程の一部を参照しながら説明する。先ず、図３に示すように、任意の角隅に面取部９ａを設けた透明ガラス若しくは透明アクリル板９の全面に渡って導電性フィルムシート８を貼着する（第１工程）。ここで、導電性フィルムシート８は予め裏面に粘着剤が塗布されたものを使用するのが良い。本実施例では、２軸延伸ポリエステルフィルムの表面に、酸化インジウム錫等をスパッタリング法により蒸着した透明導電性フィルム（例：商品名ハイビーム：東レ株式会社製等）を使用している。尚、この酸化インジウム錫等を直接透明ガラス若しくは透明アクリル板９に蒸着するものでも良い。同時に正負一対の電極となる銅箔テープ１１及び１２と導電性フィルムシート８と樹脂製の絶縁テープで導電性フィルムシート８と樹脂テープ１０ａで絶縁状態にされた銅箔テープ又はＦＦＣコード１０を用意し、一方の銅箔テープ１２の一端と、銅箔テープ又はＦＦＣコード１０の一端とを半田付けして電極を作成しておく（図４参照）、次いで、図５に示すように、上記第１工程で作成した導電性フィルムシート８が貼着された透明ガラス若しくは透明アクリル板９に、銅箔テープ１１及び１２が左右両端になるように貼り付ける（第２工程）。次いで、図６に示すように、全面を保護するためのＰＥＴフィルム１３を貼着する（第３工程）。最後に、図７乃至図８に示すように、検出制御回路用コネクター１４ａ並びに電源用コネクター１４ｂと警報器としての複数個のＬＥＤ警報表示灯２４を配したフレキシブルフィルム基板１５をガラス板若しくはアクリル板９の角隅の面取部９ａに貼着して取付け、基板アートワーク部１６に銅箔テープ１１の一端とＦＦＣコード１０の一端を半田付けする。以上の工程により本発明の磁気センサー部７が得られる。
【００１６】
磁気センサー部７の検出制御回路用コネクター１４ａには、図１に示すように、誘導電流（誘導起電力）の大きさを測定する不正磁気検知回路１９が接続される。不正磁気検知回路１９は、磁気による誘導電流の大きさに基づいて、不正な電波発生器１７等を検出判別するものである。不正磁気検知回路１９の構成は、誘導電流の大きさを測定する検出回路部２０と、この測定値の検出レベルを調整する増幅（減幅）回路部２１と、レベル調整された測定値の大きさに基づいて不正な磁気を判定出力する出力回路部２２とを備えている。出力回路部２２には、出力値をリセットするリセット手段２３が設けられている。そして、不正磁気判定回路１９には発光ＬＥＤ警報表示灯２４が接続され、電波発生器１７等による不正磁気の発生が不正磁気検知回路１９で判別されたときは、発光ＬＥＤ警報表示灯２４が発光する。尚、警報器２６の作動と同時に、当該パチンコ機１の電源を遮断して遊技を自動停止させてもよい。
【００１７】
図９に示すように、検出制御回路用コネクター１４ａ並びに電源用コネクター１４ｂと複数個のＬＥＤ表示灯２４を配したフレキシブルフィルム基板１５は、略台形状の表面シート部１５ａと裏面シート部１５ｂとを繋ぐ連結帯１５ｃとが一体的に形成されており、連結帯１５ｃはガラス板若しくはアクリル板９の厚さ分だけ折返し可能な長さとされている。表面シート部１５ａには、各ＬＥＤ表示灯２４に対応した透孔（ＬＥＤ表示孔）１５ｂが穿設され、「正常」、「違法警報」、「ドツキ警報」を示す印刷表示がされると共に、銅箔テープ１１及び１０の一端を貼着して導通させるための一対の基端アートワーク部１６が設けられ、裏面シート部１５ａには、上述の検出制御回路用コネクター１４ａ並びに電源用コネクター１４ｂと複数個のＬＥＤ表示灯２４が銅箔エッチング回路上に配されている。すなわち、フレキシブルフィルム基板１５はガラス板若しくはアクリル板９の角隅の面取部９ａを介して折曲して貼着して取付けられている。尚、ＬＥＤ表示灯２４中、正常な状態では常は点灯し続け、不正行為の検知により消灯するＬＥＤ表示灯を任意に設けておくことにより、万一、検出制御回路用コネクター１４ａと不正磁気検知回路１９との接続が断たれた場合も異常を認識することができる。例えば、正常状態を示すＬＥＤ表示灯を緑色、違法警報を示すＬＥＤ表示灯を橙色や赤色というように色分けすることにより視認性を更に向上させることができる。
【００１８】
次に、本実施例装置による不正磁気の検出方法について説明する。
図１に示すように、いま不正遊技者がパチンコ機１のガラス部３に正面前方から不正な強力磁石９を近づけ、パチンコ機１前部側の磁気センサー部７に対し所定距離以内に強力磁石１８が移動したとする。すると、ガラス部３側の導電性フィルムシート８には、強力磁石１８から出る磁力線の影響で起電力が生じ、銅箔テープ（電極）１１、１２間に一方向の微電流が流れるようになる。この微電流の値は、強力磁石１８から出る磁力（磁束密度）が大きくなればなるほど大きくなる。発生した微電流は不正磁気検知回路１９の検出回路部２０で検出され、検出結果は増幅回路部２１でレベル調整される。この後、出力回路部２２においては、微電流の検出値により、ガラス部３に強力磁石１８が近づけられたことが判定出力される。すなわち、微電流の出力値が所定の範囲内にあることを測定判定することにより、強力磁石１８を用いた不正な行為であるか否かが判別される。不正遊技の判定と同時に、ＬＥＤ表示灯２４が点灯し、これを巡回した店員等が速やかに発見することができる。
【００１９】
また、パチンコ機１のガラス部３に対し所定距離以内に不正な電波発生器１８を近づけた時は、ガラス部３に取り付けた磁気センサー部７の導電性フィルムシート８には、電波発生器１８から出る電磁波の影響により電磁誘導が起こり、銅箔テープ（電極）１１及び１２間に微電流が流れる。この微電流の値は、電磁波の電界強度が大きくなればなるほど大きくなる。流れた微電流は上記同様に、出力回路部２２から出力され、その出力値により、パチンコ機１に対して電波が発信されたことが検出される。
【００２０】
この場合、発信された電波が不正なものであるか否かを判別する必要がある。この判別は、微電流の出力値の大小を測定することで、不正な電波発生器１８であるか、それ以外の適法な通信器具、すなわち、携帯電話、店内トランシーバー、ワイヤレスマイク等との判別が可能になり、不正電波のみを確実に検出することができる。つまり、測定値の大きさが所定以上の範囲にあるか否かによって、不正な電波発生器１８のみを正確に判別することができる。
【００２１】
本実施例の装置では、一台で電波発生器１８と強力磁石１７の双方に対して、不正な電波と磁気を検出することができる。特に、誘導電流の測定値の大きさを検知することで、電波送信元が不正な器具か否かを正確に判別できるため、携帯電話等の適法な通信機に対して、従来のように不正な電波送信機と誤って検出するおそれがない。尚、本発明は他の不正電波により誤作動を起こす電子機器、例えば、自動販売機等への不正電波使用に対しても適用できる。また、本発明の要旨は警報器をＬＥＤ表示灯とし、このＬＥＤ表示灯を遊技機の盤面の近傍又は前記ガラス板上又はアクリル板上に設けたことにあり、ＬＥＤ表示灯の取付位置並びに取付方法は本発明の要旨を逸脱しない範囲において任意であることは言うまでもない。
【００２２】
【発明の効果】
本発明によれば、遊技機に取り付けた磁気センサー部に、不正な磁気を検知する回路を接続したことにより、強力磁石等の磁気発生器具を用いた不正な行為を確実に検出することができる。とくに、磁気センサー部を、ガラス板又はアクリル板に、透明合成樹脂製の導電性フィルムシートを貼付し、該導電性フィルムシートの対向する二辺に沿って一対の銅箔テープを取り付けると共に、該一対の銅箔間をＦＦＣコードでもって接続するようにしたので、センサー部の厚みを極めて薄くすることができるので、パチンコ機の二層保護ガラス体の極小な隙間もに容易に挿入できる。また、パチンコ機のガラス部に導電性フィルムシートを直接貼付するものではなく、磁気センサー部の着脱は自由に行なうことができるので、高い汎用性が得られるという優れた効果がある。また、警報器をＬＥＤ表示灯とし、このＬＥＤ表示灯を遊技機の盤面の近傍又は前記ガラス板上又はアクリル板上に設けたことより、遊技機への不正行為を確実且つ速やかに発見することができるという優れた効果がある。
【図面の簡単な説明】
【図１】本発明に係る遊技機に対する電波又は磁石を用いた不正行為検知センサーの回路構成図である。
【図２】遊技機の盤面側を示す斜視図である。
【図３】磁気センサー部の製造工程を示す説明図である。
【図４】磁気センサー部の製造工程を示す説明図である。
【図５】磁気センサー部の製造工程を示す説明図である。
【図６】磁気センサー部の製造工程を示す説明図である。
【図７】磁気センサー部の製造工程を示す説明図である。
【図８】ガラス板又は透明アクリル板へのフレキシブル基板取付後の背面図である。
【図９】フレキシブル基板の要部拡大正面図である。
【符号の説明】
１　　パチンコ機
２　　セル盤
３　　ガラス部
４　　二層保護ガラス体
５　　前面ガラス部
６　　裏面ガラス部
７　　磁気センサー部
８　　導電性フィルムシート（導電性シート）
９　　透明ガラス板又はアクリル板
１０　銅箔テープ又はＦＦＣコード
１０ａ樹脂テープ（絶縁テープ）
１１　銅箔テープ（電極）
１２　銅箔テープ（電極）
１３　ＰＥＴフィルム
１４ａ不正磁気検知回路用コネクター
１４ｂ電源用コネクター
１５　フレキシブル基板
１５ａ表面シート部
１５ｂ裏面シート部
１５ｃ連結帯
１５ｄ透孔（ＬＥＤ表示孔）
１６　基板アートワーク部
１７　強力磁石（不正磁気発生器具）
１８　電波発生器（不正磁気発生器具）
１９　不正磁気検知回路
２０　検出回路
２１　増幅（減幅）回路
２２　出力回路
２４　ＬＥＤ表示灯
２５　警報ブザー
２６　警報器
【図１】
2004081232.tif 000003
【図２】
2004081232.tif 000004
【図３】
2004081232.tif 000005
【図４】
2004081232.tif 000006
【図５】
2004081232.tif 000007
【図６】
2004081232.tif 000008
【図７】
2004081232.tif 000009
【図８】
2004081232.tif 000010
【図９】
2004081232.tif 000011